(57)【要約】【課題】本発明は、ハウスダストといわれる繊維を含む塵埃、髪の毛、ペットの毛、ダニの死骸などを払拭する機能性が優れた払拭布を提供するものである。【解決手段】本発明の払拭布は、床面などの払拭に使うワイパーに装着する払拭布であって、該払拭布が、帯電列がポリエチレンテレフタレート以下の負極性を示す物質からなる繊維状物Ａと、帯電列が羊毛以上の正極性を示す物質からなる繊維状物Ｂとの組合せからなることを特徴とするものである。【選択図】図１
2004065731.tif 000002
【特許請求の範囲】
【請求項１】
床面などの払拭に使うワイパーに装着する払拭布であって、該払拭布が、帯電列がポリエチレンテレフタレート以下の負極性を示す物質からなる繊維状物Ａと、帯電列が羊毛以上の正極性を示す物質からなる繊維状物Ｂとの組合せからなることを特徴とする払拭布。
【請求項２】
前記払拭布が、不織布である請求項１に記載の払拭布。
【請求項３】
前記払拭布が、ループまたはカットパイルの群で構成されており、かつ、該パイルの目付が２０〜４００ｇ／ｍ２　で、パイル長が５〜５０ｍｍである請求項１または２に記載の払拭布。
【発明の詳細な説明】
【０００１】
【発明の属する技術分野】
本発明は、床面などに散らばった人毛やペットの脱落毛、フケ、ダニの死骸、ホコリなどいわゆるハウスダストと呼ばれる塵埃を払拭することを目的とした、柄付きワイパーなどの作用板に装着する払拭布に関する。
【０００２】
【従来の技術】
床面などの掃除は旧来、電気掃除機、箒などの掃除具で比較的大きなゴミなどを除去した後、雑巾で水拭きして行われてきた。昨今では雑巾を洗って固く絞る煩雑さを嫌う、あるいは木質床材料において樹脂塗料表面の美麗な艶を保つために湿式払拭を嫌うものがあるなどの理由から、乾式のワイピンググロスすなわち払拭布が柄付きにするなど使いやすい形態の物が普及している。
【０００３】
しかるに、現在出まわっている払拭布の殆どは単なる不織布製であるので塵埃除去効果が十分でない。あるいはエレクトレット帯電処理して塵埃吸着能を高めたワイピングクロスもあるが、洗濯再使用が困難な問題がある。また、清掃用のハタキを摩擦帯電させてから使用するものもあるが、帯電が正負いずれかに偏るため同符号に帯電した塵埃は吸着しにくいこと、清掃作業中に帯電が低下するので塵埃の付着した不潔なハタキを再三にわたり摩擦帯電させねばならないという問題があった。
【０００４】
【発明が解決しようとする課題】
本発明は、かかる従来技術の背景に鑑み、ハウスダストといわれる繊維を含む塵埃、髪の毛、ペットの毛、ダニの死骸などを払拭する機能性が優れた払拭布を提供するものである。
【０００５】
【課題を解決するための手段】
本発明は、かかる課題を解決するために、次のような手段を採用するものである。すなわち、本発明の払拭布は、床面などの払拭に使うワイパーに装着する払拭布であって、該払拭布が、帯電列がポリエチレンテレフタレート以下の負極性を示す物質からなる繊維状物Ａと、帯電列が羊毛以上の正極性を示す物質からなる繊維状物Ｂとの組合せからなることを特徴とするものである。
【０００６】
【発明の実施の形態】
本発明は、前記課題、すなわち優れたハウスダスト払拭性を有する払拭布について鋭意検討し、特定な帯電列関係にある物質からなる繊維状物の２種の組み合わせで払拭布を構成してみたところ、前記課題を一挙に解決することを見出したものである。
【０００７】
本発明の払拭布に用いられる繊維状物Ａは、帯電列がポリエチレンテレフタレート以下の負極性を示す物質からなり、これ以外にはポリスチレン、ポリエチレン、ポリ塩化ビニル、ポリテトラフロロエチレン、ポリ塩化ビニリデンなどが用いられる。上記例示した物質間の帯電列はポリエチレンテレフタレート＜ポリスチレン＜ポリエチレン＜ポリ塩化ビニル＜ポリテトラフロロエチレン＜ポリ塩化ビニリデンの順に、負極性が強くなる。
【０００８】
本発明の払拭布に用いられる繊維状物Ｂは、帯電列が羊毛以上の正極性を示す物質からなり、これ以外にはナイロン、セロハンなどが用いられる。上記例示した物質間の帯電列は羊毛＜ナイロン＜セロハンの順に、正極性が強くなる。
【０００９】
ここでいう帯電列とは、繊維学会編の繊維便覧「原料編」（丸善１９６８年版）３６３ページに記載されているように、電子を放ちやすいもの、あるいは電子を受け取り易いものの序列である。すなわち、帯電列の異なった物質を互いに接触、摩擦することで、電子自体が「電子を放つ物質」から「電子を受け取る物質」へと移動するのである。これによって電子を失った物質は正に帯電し、電子を受け取った物質は負に帯電することになる。
【００１０】
本発明の払拭布は、かかる帯電列がポリエチレンテレフタレート以下の負極性を示す物質からなる繊維状物Ａと、該帯電列が羊毛以上の正極性を示す物質からなる繊維状物Ｂから構成されることが、払拭作業によるＡとＢとが接触・摩擦・剥離して発生する帯電を高くするために重要である。
【００１１】
本発明において払拭作業により、繊維状物Ａと繊維状物Ｂとの配置は、それらが接触・摩擦・剥離の挙動を取りやすくする構造、例えば積層、撚り合わせ、あるいは交互列に配置するのが好ましい。混紡や混繊などは繊維状物Ａと繊維状物Ｂとが密に接触するものの、摩擦や剥離が起こりにくく、従って帯電しにくいので好ましくない。繊維状物は天然繊維、合成繊維など繊維自体はもちろん、フィルム状物質の裂片の形状のものでもよい。
【００１２】
本発明の払拭布に不織布を用いる場合、繊維状物Ａからなる不織布と繊維状物Ｂからなる不織布とを積層し、周囲をひも状に裁断してモップ状に仕上げるなど、払拭作業により繊維状物Ａと繊維状物Ｂとが接触・摩擦・剥離する挙動を取りやすい配置とすることが好ましい。かかる不織布の目付は、好ましくは５〜４００ｇ／ｍ２　、さらに好ましくは１０〜３００ｇ／ｍ２　で構成されているのがよい。目付が５ｇ／ｍ２　未満の場合は、ひも状の細片が柔らかすぎて絡み合いやすいので使いにくく、目付が４００ｇ／ｍ２　を越えると、ひも状の細片が剛直すぎて払拭しにくいので実用的でない。
【００１３】
本発明の払拭布に用いる不織布は、塵埃の捕捉性を増大するために、皺加工や賦型加工あるいは水流加工して用いると更に好ましい。
【００１４】
本発明の払拭布に用いる不織布は、メルトブロー不織布、スパンボンド不織布、短繊維不織布、スパンレース不織布、湿式不織布などいずれでもよく、不織布の製法による制限は特にない。
【００１５】
本発明の払拭布がループまたはカットパイルの群で構成される場合、パイル目付がおおよそ２０〜４００ｇ／ｍ２　が好ましく、３０〜３００ｇ／ｍ２　がさらに好ましい。パイル密度がおおよそ２０ｇ／ｍ２　未満であると、パイルが疎らで塵埃の払拭性が低く、おおよそ４００ｇ／ｍ２　を越えるとパイルが密すぎて塵埃がパイル表面のみに捕捉されるので塵埃の保有に不利となる。パイルとした繊維状物Ａと繊維状物Ｂとの配置は、パイル１列交互あるいは２列交互など繊維状物Ａと繊維状物Ｂとが接触・摩擦・剥離する挙動を取りやすい配置とすることが好ましい。
【００１６】
本発明の払拭布は不織布とループまたはカットパイルの群との併用で構成してもよく、かかる構成における不織布およびパイルは前記範囲のものを用いるとよい。
【００１７】
本発明の払拭布は上記の構成をとることにより、床面を払拭する際の繊維状物Ａと繊維状物Ｂとの摩擦でそれぞれに異符号の帯電が強く発生し、塵埃を良く捕捉吸着することができる。特に、正負いずれに帯電している塵埃でも良く捕捉吸着することができる。また、払拭に使用した後は適宜洗濯して繰り返し使用することができる。
【００１８】
【実施例】
以下、本発明について、実施例をあげてさらに具体的に説明するが、本発明は実施例などにより何ら限定されるものではない。
なお、実施例中の払拭性能評価は、以下の方法で測定した。
＜払拭性能評価＞
木綿の布団わたとポリエステルの２ｄのわたを約１ｍｍの長さにカットし、これを１：１に混合して綿ホコリ相当の試料とした。ゴールデンレトリバー犬をブラッシングして抜け取れた毛を約１ｃｍの長さにカットし、ペット毛相当の試料とした。蝉の抜け殻を乳鉢で摺りつぶしてダニ死骸相当の試料とした。
【００１９】
一方、評価床材として透明ワニス仕上げした５ｃｍ幅の杉板の稜を半径２ｍｍに面取りして並べ、３０ｃｍ×３０ｃｍの角板を９枚つくり、板目を互い違いにつきあわせて９０ｃｍ角の試験床試料とした。
【００２０】
上記試験床上にダニ死骸試料、ペット毛試料、綿ホコリ試料それぞれ３ｇを均等になるように散布し、払拭布を市販の柄付きワイパー取り付け面（２６ｃｍ×１０ｃｍ）に取り付け、どの部分も５回払拭されるようにワイピングし、試験床の汚れ状態を５段階に肉眼判定した。
【００２１】
○；良好
○〜△；ほぼ良好
△；やや残る
△〜×；あまり良くない
×：悪い
実施例１
単糸繊度２デシテックス、目付１００ｇ／ｍ２　のポリエステルニードルパンチ不織布の上下に、単糸繊度１．５デシテックス、目付８０ｇ／ｍ２　のナイロンニードルパンチ不織布を重ね、該不織布相互が容易に剥離する程度に粗く弱くエンボス加工した積層不織布を作製した。次いで、該不織布を幅３０ｃｍ×長さ４６ｃｍの寸法に切り取り、前記ワイパー取り付け面の外側に出る不織布の部分を、幅約７ｍｍ×長さ約１０ｃｍの短冊状に裁断してバラバラにほぐし、ワイパーに取り付けて払拭性能評価に供した。
【００２２】
実施例２
単糸繊度２．５デシテックスのアクリル捲縮糸と単糸繊度２デシテックスのナイロン捲縮糸とを２列づつ交互に配したループパイル布を、パイル長さ約１５ｍｍ、パイル目付約８０ｇ／ｍ２で作製し、払拭性能評価に供した。
【００２３】
比較例１
単糸繊度１．５デシテックスのポリエステルスパンボンド不織布を５ｍｍ角の孔が無数に開いた鉄板上に載せ、孔直径０．１５ｍｍ、孔ピッチ０．８ｍｍのノズルから圧力１４ＭＰａの水流を噴射して、繊維がやや解れた襞のある不織布に加工し、乾燥後に上記ワイパーに取り付けて払拭性評価に供した。
実施例１〜３および比較例１の評価結果を表１に示す。
【００２４】
【表１】
2004065731.tif 000003
【００２５】
表１から明らかなように、実施例１、２の払拭布のそれぞれが、床面の塵を除去できるとともに、床板の突き合わせ部分の隙間に入り込んだ塵をも除去することができた。他方、比較例１の払拭布は、床面の塵をほぼ除去することができたが、床板の突き合わせ部分の隙間に入り込んだ塵は取り残され、払拭性が低かった。
【００２６】
【発明の効果】
以上述べたとおり本発明の払拭布は、ワイピングにより綿ホコリやペットの毛やダニの死骸などハウスダストを払拭布に捕捉吸着し、脱落させることがないので、床面の清掃に優れた効果を奏し、洗濯し再使用できる経済性をも備えるものである。
【図面の簡単な説明】
【図１】床ワイパーの外観模式図である。
【図２】ループパイルを用いた本発明の払拭布の１実施態様例を示した床ワイパーの外観模式図
【図３】不織布を用いた本発明の払拭布の１実施態様例を示した床ワイパーの外観模式図
【符号の説明】
１　　ワイパーの柄
２　　ワイパー取り付け面
３　　払拭布
４　　繊維状物Ａからなるパイルの列
５　　繊維状物Ｂからなるパイルの列
６　　繊維状物Ａからなる不織布の細片
７　　繊維状物Ｂからなる不織布の細片
【図１】
2004065731.tif 000004
【図２】
2004065731.tif 000005
【図３】
2004065731.tif 000006